(57)【特許請求の範囲】
【請求項１】
ボデー内に回転自在に配設した回転ドラムと、前記回転ドラム内の衣類から発生した高温多湿の空気を外部低温空気と熱交換させかつ除湿された空気を再度回転ドラムに循環させる両翼ファンと、前記両翼ファンを収納するファンケースと、熱交換による凝縮水を排出するため前記ファンケースの下部外壁に設けた排水口と、前記排水口にホースホルダーを介して接続した排水ホースとを備え、前記ホースホルダーの下端に設けた弾性爪部を前記ボデーに着脱自在に係止して前記排水ホースを接続し、前記ホースホルダーの上端に弾性を持つパッキングを係着し、前記パッキングは前記排水口が位置する前記ファンケースの下部外壁に密接し前記排水口を水密的に包囲するように圧接させるとともに前記排水口との位置ずれや傾斜を吸収するための蛇腹部を備えた構成とした衣類乾燥機。
【発明の詳細な説明】
【０００１】
【産業上の利用分野】
本発明は、モータで回転駆動される回転ドラム内で衣類を乾燥させる衣類乾燥機に関する。
【０００２】
【従来の技術】
従来、この種の衣類乾燥機は図４および図５に示すように構成していた。以下、その構成について説明する。
【０００３】
図に示すように、ボデー１は、内部に衣類を撹拌する回転ドラム２を回転自在に設け、回転ドラム２内に複数のバッフル３を固着している。両翼ファン（凝縮手段）４は、回転ドラム２の後部に回転自在に設け、冷却風５と循環風６とを熱交換させるとともに、熱源となるヒータ７、バッフル３を通して回転ドラム２内に循環風６を循環させるように構成している。ファンケース８は、両翼ファン４とラビリンス構成をなし、ボデー１に保持している。
【０００４】
排水口９は、ファンケース８に設け、ファンケース８内で回転ドラム２内の衣類から発生した蒸気を両翼ファン４による熱交換で凝縮した水滴を排水する。モータ１０は、回転ドラム２と両翼ファン４とを駆動する。ホースホルダー１１は、排水ホース１２の内部に挿入嵌合し、外周方向より排水ホース１２を押さえ、同時に弾性爪部１３をボデー１に嵌合して、排水ホース１２をボデー１に保持するようにしている。パッキング１４は、スポンジ状に形成し、排水口９外周部に貼り付け、ホースホルダー１１と排水口９とをシールするようにしている。
【０００５】
上記構成において動作を説明すると、モータ１０が回転し、回転ドラム２および両翼ファン４が回転すると、循環風６および冷却風５が発生し、循環風６はヒータ７により加熱されて熱風となり、回転ドラム２内に導入され衣類１５と熱交換した後、再び両翼ファン４に戻るという循環を繰り返す。さらに、高温多湿となった循環風６は両翼ファン４のブレードにより冷却風５と熱交換されて凝縮し、凝縮水は排水口９より排出される。
【０００６】
ホースホルダー１１は弾性爪部１３によりボデー１に爪嵌合にて着脱自在な構成のため、着脱ストロークに要する距離をファンケース８の排水口９との間に有しており、パッキング１４はこの間を埋めるとともに、圧縮変形によりホースホルダー１１の着脱時の動きに対応する。
【０００７】
また、ファンケース８はボデー１のフランジ面にねじ固定する構成であり、排水口９の先端部は組立またはメンテナンス上、ボデー１の下面のフランジ上端より高く、また凝縮水を流すため、両翼ファン４を収設するファンケース８の下端より低く設定している。このため、省スペース化されたボデー１の高さにおいてはフランジ上端からファンケース８の下端までの距離は必然的に狭くなり、ホースホルダー１１との嵌合により、蒸気漏れやファンケース８のホースホルダー１１に対する上下のずれを吸収する充分な長さの排水口９の筒部の構成は困難となる。また、排水口９の筒部構成のための両翼ファン４の縮小化は熱交換性能低下のため困難である。
【０００８】
【発明が解決しようとする課題】
このような従来の乾燥機では、ファンケース８とホースホルダー１１は、それぞれボデー１に取り付けられており、ファンケース８とホースホルダー１１が直接嵌合する構成となっていないため、排水口９とホースホルダー１１の間で上下方向の間隔が大きく、中心位置がずれ、または各々が平行になるよう取り付けられていない場合があり、このとき、必然的にパッキング１４のシール性が弱まり、凝縮水および蒸気が排水口９とホースホルダー１１の隙間から外に流れ出るという問題を有していた。
【０００９】
本発明は上記課題を解決するもので、排水口とホースホルダーとの間のシール性を向上させ、品質を向上することを目的としている。
【００１０】
【課題を解決するための手段】
本発明は上記目的を達成するために、ボデー内に回転自在に配設した回転ドラムと、前記回転ドラム内の衣類から発生した高温多湿の空気を外部低温空気と熱交換させかつ除湿された空気を再度回転ドラムに循環させる両翼ファンと、前記両翼ファンを収納するファンケースと、熱交換による凝縮水を排出するため前記ファンケースの下部外壁に設けた排水口と、前記排水口にホースホルダーを介して接続した排水ホースとを備え、前記ホースホルダーの下端に設けた弾性爪部を前記ボデーに着脱自在に係止して前記排水ホースを接続し、前記ホースホルダーの上端に弾性を持つパッキングを係着し、前記パッキングは前記排水口が位置する前記ファンケースの下部外壁に密接し前記排水口を水密的に包囲するように圧接させるとともに前記排水口との位置ずれや傾斜を吸収するための蛇腹部を備えた構成としたことを課題解決手段としている。
【００１１】
【作用】
本発明は上記した課題解決手段により、ホースホルダーの下端に設けた弾性爪部をボデーに着脱自在に係止して排水ホースを接続し、ホースホルダーの上端に弾性を持つパッキングを係着し、このパッキングは排水口が位置するファンケースの下部外壁に密接し排水口を水密的に包囲するように圧接させるとともに排水口との位置ずれや傾斜を吸収するための蛇腹部を備えた構成としているので、ホースホルダーに対するファンケースの排水口の上下のずれ、中心ずれまたは傾斜設置に対し、凝縮水および湿気に対するシール性を確保することができる。
【００１２】
【実施例】
以下、本発明の一実施例を図１から図３を参照しながら説明する。なお、従来例と同じ構成のものは同一符号を付して説明を省略する。
【００１３】
図に示すように、ホースホルダー１６は、パイプ部１７に排水ホース１２を挿嵌し、開いた略円形状１８を閉じることで、排水ホース１２を外周方向より保持し、弾性爪部１９によりボデー１に嵌合保持し、排水ホース１２をボデー１に固定するようにしている。パッキング２０は、排水口９とホースホルダー１６との間を密閉するもので、ゴムなどの弾性体で形成し、ホースホルダー１６に外側に開いたすり鉢状の受け口２１の先端を包み込むよう取り付け、排水口９の接触面に対し蛇腹部２２を形成し、排水口９の平面部２３に水密的に圧接している。なお、２点鎖線はパッキング２０の自然状態を示している。
【００１４】
上記構成において作用を説明すると、ホースホルダー１６は、開いた略円形状１８を閉じることで、ホースホルダー１６のパイプ部１７にて挿入嵌合する排水ホース１２を外周方向より保持することができ、弾性爪部１９によりボデー１に嵌合保持して排水ホース１２をボデー１に固定することができる。
【００１５】
一方、パッキング２０は、ホースホルダー１６の受け口２１の先端を包み込むようにホースホルダー１６に取り付け、排水口９とホースホルダー１６との間を密閉する。このとき、ホースホルダー１６はパッキング２０との嵌合側にて先端を外側に開いたすり鉢状の形状としているので、パッキング２０がホースホルダー１６から外れるのを防止することができる。
【００１６】
また、パッキング２０は、排水口９の接触面に対し蛇腹部２２とすることで、ホースホルダー１６に対するファンケース８の上下方向および各々の中心位置のずれに対してシール性を確保することができる。同様にホースホルダー１６に対して、排水口９およびその外周面が傾斜した場合においても、安定したシール性を確保することができる。
【００１７】
さらに、パッキング２０が蛇腹部２２で上下方向の弾性を有しているため、ボデー１へのホースホルダー１６の取り付け時にパッキング２０を圧迫することがなく、ファンケース８の排水口９とホースホルダー１６の隙間が狭い場合においても容易に取り付けることができる。
【００１８】
また、排水ホース１２、ホースホルダー１６およびパッキング２０をそれぞれ嵌合させることにより一体構成とすることができ、この取扱いが容易となる。また、従来例のパッキングを廃止することができ、この取り付け工数を削減することができる。なお、パッキング２０は、従来例のパッキングと併用してもよい。
【００１９】
【発明の効果】
以上のように本発明は、ボデー内に回転自在に配設した回転ドラムと、前記回転ドラム内の衣類から発生した高温多湿の空気を外部低温空気と熱交換させかつ除湿された空気を再度回転ドラムに循環させる両翼ファンと、前記両翼ファンを収納するファンケースと、熱交換による凝縮水を排出するため前記ファンケースの下部外壁に設けた排水口と、前記排水口にホースホルダーを介して接続した排水ホースとを備え、前記ホースホルダーの下端に設けた弾性爪部を前記ボデーに着脱自在に係止して前記排水ホースを接続し、前記ホースホルダーの上端に弾性を持つパッキングを係着し、前記パッキングは前記排水口が位置する前記ファンケースの下部外壁に密接し前記排水口を水密的に包囲するように圧接させるとともに前記排水口との位置ずれや傾斜を吸収するための蛇腹部を備えた構成としたから、ホースホルダーに対する排水口の上下、中心ずれまたは傾斜設置に対して水滴および湿気のシール性を確保することができ、品質を向上することができる。
【図面の簡単な説明】
【図１】本発明の一実施例の衣類乾燥機の排水ホースの取付状態を示す断面図
【図２】同衣類乾燥機の縦断面図
【図３】同衣類乾燥機の要部拡大分解斜視図
【図４】従来の衣類乾燥機の縦断面図
【図５】同衣類乾燥機の要部拡大断面図
【符号の説明】
１  ボデー
２  回転ドラム
４  両翼ファン（凝縮手段）
９  排水口
１２  排水ホース
１６  ホースホルダー
１９  弾性爪部
２０  パッキング
２２  蛇腹部
【図１】
0003613843.tif 000002
【図２】
0003613843.tif 000003
【図３】
0003613843.tif 000004
【図４】
0003613843.tif 000005
【図５】
0003613843.tif 000006